(57)【要約】      （修正有）【課題】映像表示範囲を手動調整可能なバックミラーを提供する。【解決手段】主に撮影モジュール、バックミラー１２及び支持ブラケット１３とから構成され、バックミラーには、調整部と、表示部とが設けられ、こうして、バックミラーは、調整部を介して表示部の表示範囲を調整することができる。【選択図】図１
0003222451.tif 000002
【実用新案登録請求の範囲】
【請求項１】
車体の後方に設置される撮影モジュールと、前記車体内に設置されるバックミラーと、を備える、映像表示範囲を手動調整可能なバックミラーであって、
前記バックミラーは、前記撮影モジュールに結合される処理部と、前記処理部に結合される調整部と、前記処理部に結合され、前記撮影モジュールによって生成された映像画面を表示するための表示部とを有し、
前記調整部を介して前記バックミラーの角度を調整すると同時に、前記処理部は、前記角度に基づいて前記映像画面の表示範囲を調整することを特徴とする、
映像表示範囲を手動調整可能なバックミラー。
【請求項２】
前記調整部は、さらに収容体と、前記収容体中に設置される転がり球とを含むことを特徴とする、請求項１に記載の映像表示範囲を手動調整可能なバックミラー。
【請求項３】
前記調整部は、さらに前記収容体中に設置されると共に、前記転がり球に隣接するＸ軸センサと、前記収容体中に設置されると共に、前記転がり球に隣接するＹ軸センサと、前記収容体中に設置されると共に、前記転がり球に隣接するＺ軸センサと、前記収容体中に設置されると共に、前記Ｘ軸センサ、前記Ｙ軸センサ、前記Ｚ軸センサ及び前記処理部に電気的に接続される信号処理器とを含むことを特徴とする、請求項２に記載の映像表示範囲を手動調整可能なバックミラー。
【請求項４】
前記表示部は、薄膜トランジスタ液晶ディスプレイ、液晶ディスプレイ、発光ダイオードディスプレイまたは有機発光ダイオードディスプレイであることを特徴とする、請求項１に記載の映像表示範囲を手動調整可能なバックミラー。
【請求項５】
前記車体のフロントガラス上に設置され、前記バックミラーを支持するための支持ブラケットをさらに備えることを特徴とする、請求項２に記載の映像表示範囲を手動調整可能なバックミラー。
【請求項６】
前記支持ブラケットは、さらに一端が前記支持ブラケットに連結され、かつ他端が前記収容体に連結される連結棒を有することを特徴とする、請求項５に記載の映像表示範囲を手動調整可能なバックミラー。
【考案の詳細な説明】
【技術分野】
【０００１】
本考案は、自動車用バックミラーの分野に係り、特に、映像表示範囲を手動調整可能なバックミラーに関する。
【背景技術】
【０００２】
走行安全の向上のため、車に撮影レンズを装着すると共に撮影映像をバックミラーのスクリーン上に伝送することで、車両の進行時に車両周囲の景色画像を捕捉して、視線に死角が発生するのを防止できると共に、視線の死角による危害を回避できる。
【０００３】
ここで、一般の電子バックミラーは、広角撮影レンズと、表示スクリーンとから構成されるもので、車の進行中またはカーブ時のいずれにおいても、その映像から切り出した可視角度は固定されたままである。
【０００４】
そこで、自車の後退時に、後方の障害物にぶつかるのを回避するため、広角撮影レンズの可視角度を下向きに調整して、車体の後方の障害物の有無を観察し易くしている。
しかしながら、路面上の標示線や車の大きさは、広角の関係に起因して元の比例が失われることで、運転者が距離を誤判断することがあり、なおかつ距離の誤判断によりぶつかる事態が発生する。
【考案の概要】
【考案が解決しようとする課題】
【０００５】
以上を勘案して、本願の考案者は、運転者が距離を誤判断することを回避するため、研究考案した結果、本考案の映像表示範囲を手動調整可能なバックミラーを完成させた。
【課題を解決するための手段】
【０００６】
上記した本考案の主要な目的を達成するために、本願の考案者が提出した映像表示範囲を手動調整可能なバックミラーは、車体の後方に設置される撮影モジュールと、前記車体内に設置されるバックミラーとを備え、前記バックミラーは、前記撮影モジュールに結合される処理部と、前記処理部に結合される調整部と、前記処理部に結合され、前記撮影モジュールによって生成された映像画面を表示するための表示部とを有し、その内、前記調整部を介して前記バックミラーの角度を調整すると同時に、前記処理部は、前記角度に基づいて前記映像画面の表示範囲を調整する。
【考案の効果】
【０００７】
本考案が提供する映像表示範囲を手動調整可能なバックミラーは、主に撮影モジュール、バックミラー及び支持ブラケットとから構成され、その内、前記バックミラーには、調整部と、表示部とが設けられ、前記バックミラーは、前記調整部を介して前記表示部の表示範囲を調整することができる。
【図面の簡単な説明】
【０００８】
【図１】本考案の映像表示範囲を手動調整可能なバックミラーの車体への取り付けを示す模式図である。
【図２】本考案のバックミラーと支持ブラケットの斜視図である。
【図３】本考案のバックミラーと支持ブラケットの別の角度の斜視図である。
【図４】本考案の調整部の拡大示図である。
【図５】本考案の映像表示範囲を手動調整可能なバックミラーの使用を示す第１模式図である。
【図６】本考案の映像表示範囲を手動調整可能なバックミラーの使用を示す第２模式図である。
【図７】本考案の映像表示範囲を手動調整可能なバックミラーの使用を示す第３模式図である。
【考案を実施するための形態】
【０００９】
本考案が提出した映像表示範囲を手動調整可能なバックミラーをより明瞭に記述するために、添付図面を参照しながら、本考案の好適な実施例を以下に詳述する。
【００１０】
図１、図２と図３を同時に参照する。その内、図１は、本考案の映像表示範囲を手動調整可能なバックミラーの車体への取り付けを示す模式図であり、図２は、本考案のバックミラーと支持ブラケットの斜視図であり、図３は、本考案のバックミラーと支持ブラケットの別の角度の斜視図である。
図１、図２と図３に示すように、本考案の映像表示範囲を手動調整可能なバックミラーは、撮影モジュール１１と、バックミラー１２と、支持ブラケット１３とを備える。その内、前記撮影モジュール１１は、車体２の後方に設置され、かつ前記バックミラー１２は、前記車体２内に設置されると共に、処理部１２１と、調整部１２２と、表示部１２３とを有する。
【００１１】
前記処理部１２１は、前記撮影モジュール１１に結合され、前記調整部１２２は、前記処理部１２１に結合され、また、前記表示部１２３は、前記処理部１２１に結合され、前記撮影モジュール１１によって生成された映像画面を表示するために用いられる。
本考案において、前記表示部１２３は、下記のいずれか１つ、即ち、薄膜トランジスタ液晶ディスプレイ、液晶ディスプレイ、発光ダイオードディスプレイまたは有機発光ダイオードディスプレイであってもよい。
【００１２】
図３と図４を継続的に参照する。その内、図４は、本考案の調整部の拡大示図である。
図３と図４に示すように、前記調整部１２２は、収容体１２２１と、転がり球１２２２と、Ｘ軸センサ１２２３と、Ｙ軸センサ１２２４と、Ｚ軸センサ１２２５と、信号処理器１２２６とを含む。その内、前記転がり球１２２２は、前記収容体１２２１中に設置される。前記Ｘ軸センサ１２２３は、前記収容体１２２１中に設置されると共に、前記転がり球１２２２に隣接する。前記Ｙ軸センサ１２２４は、前記収容体１２２１中に設置され、前記転がり球１２２２に隣接する。前記Ｚ軸センサ１２２５は、前記収容体１２２１中に設置されると共に、前記転がり球１２２２に隣接する。また、前記信号処理器１２２６は、前記収容体１２２１中に設置されると共に、前記Ｘ軸センサ１２２３、前記Ｙ軸センサ１２２４、前記Ｚ軸センサ１２２５及び前記処理部１２１に電気的に接続される。
【００１３】
図１、図２、図３と図４を同時に参照する。
図１、図２、図３と図４に示すように、前記支持ブラケット１３は、前記車体２のフロントガラス上に設置され、前記バックミラー１２を支持するために用いられると共に、連結棒１３１を有し、その一端が前記支持ブラケット１３に連結され、かつ他端が前記収容体１２２１に連結される。こうして、前記調整部１２２を介して前記バックミラー１２の角度を調整すると同時に、前記処理部１２１は、前記角度に基づいて前記映像画面の表示範囲を調整する。
【００１４】
図５を継続的に参照する。図５は、本考案の映像表示範囲を手動調整可能なバックミラーの使用を示す第１模式図である。
図５に示すように、前記バックミラー１２を上に移動させるとき、前記バックミラー１２は、前記調整部１２２の前記転がり球１２２２を介してある角度で上に移動し、この時、前記信号処理器１２２６は、前記Ｘ軸センサ１２２３、前記Ｙ軸センサ１２２４及び前記Ｚ軸センサ１２２５によって検出された前記転がり球１２２２の上方移動ベクトルを前記映像画面の表示範囲の上向変位ベクトルに転換する。こうして、使用者が前記バックミラー１２を上向きに移動させるときに、前記表示部１２３に表示される映像画面の表示範囲もそれに伴って上向きに変位する。
【００１５】
図６を継続的に参照する。図６は、本考案の映像表示範囲を手動調整可能なバックミラーの使用を示す第２模式図である。
図６に示すように、前記バックミラー１２を左に移動させるとき、前記バックミラー１２は、前記調整部１２２の前記転がり球１２２２を介してある角度で左に移動し、この時、前記信号処理器１２２６は、前記Ｘ軸センサ１２２３、前記Ｙ軸センサ１２２４及び前記Ｚ軸センサ１２２５によって検出された前記転がり球１２２２の左方移動ベクトルを前記映像画面の表示範囲の右向変位ベクトルに転換する。こうして、使用者が前記バックミラー１２を左向きに移動させるときに、前記表示部１２３に表示される映像画面の表示範囲もそれに伴って右向きに変位する。
【００１６】
図７を継続的に参照する。図７は、本考案の映像表示範囲を手動調整可能なバックミラーの使用を示す第３模式図である。
図７に示すように、前記バックミラー１２を右に移動させるとき、前記バックミラー１２は、前記調整部１２２の前記転がり球１２２２を介してある角度で右に移動し、この時、前記信号処理器１２２６は、前記Ｘ軸センサ１２２３、前記Ｙ軸センサ１２２４及び前記Ｚ軸センサ１２２５によって検出された前記転がり球１２２２の右方移動ベクトルを前記映像画面の表示範囲の左向変位ベクトルに転換する。こうして、使用者が前記バックミラー１２を右向きに移動させるときに、前記表示部１２３に表示される映像画面の表示範囲もそれに伴って左向きに変位する。
【００１７】
上記のように、本考案の映像表示範囲を手動調整可能なバックミラーの構造、機能を十分かつ明瞭に説明してきた。上記によって、本考案が下記の技術的特徴と利点を有することが分かる。
【００１８】
本考案は、映像表示範囲を手動調整可能なバックミラーに関し、主に撮影モジュール１１、バックミラー１２及び支持ブラケット１３から構成され、その内、前記バックミラー１２には、調整部１２２と、表示部１２３とが設けられる。このため、前記バックミラー１２は、前記調整部１２２を介して前記表示部１２３の表示範囲を調整することができる。
【符号の説明】
【００１９】
２  車体
１１  撮影モジュール
１２  バックミラー
１３  支持ブラケット
１２１  処理部
１２２  調整部
１２３  表示部
１３１  連結棒
１２２１  収容体
１２２２  転がり球
１２２３  Ｘ軸センサ
１２２４  Ｙ軸センサ
１２２５  Ｚ軸センサ
１２２６  信号処理器
【図１】
0003222451.tif 000003
【図２】
0003222451.tif 000004
【図３】
0003222451.tif 000005
【図４】
0003222451.tif 000006
【図５】
0003222451.tif 000007
【図６】
0003222451.tif 000008
【図７】
0003222451.tif 000009